(57)【要約】  実施形態の蓄電制御装置は、第１蓄電装置を有する大容量蓄電池システム及び第２蓄電装置を有する高出力蓄電池システムを組合せた蓄電システムに用いられる蓄電制御装置であって、第１蓄電装置及び前記第２蓄電装置の劣化状態を検出する劣化状態検出部と、当該蓄電池システムに要求される放電電力量あるいは充電電力量である需要電力量を検出する需要電力量検出部と、第１蓄電装置及び第２蓄電装置の劣化状態並びに需要電力量に基づいて、第１蓄電装置及び前記第２蓄電装置に対する電力量配分を設定する配分設定部と、を備えるので大容量蓄電池システム及び高出力蓄電池システムを組合せた蓄電システムにおいて、蓄電池システムの劣化が均一になるように大容量蓄電池システム及び高出力蓄電池システムの双方の充放電電力を制御し、蓄電システム全体の長寿命化を図れる。
2019186659.tif 000002
【特許請求の範囲】
【請求項１】
第１蓄電装置を有する大容量蓄電池システム及び第２蓄電装置を有する高出力蓄電池システムを組合せた蓄電システムに用いられる蓄電制御装置であって、
前記第１蓄電装置及び前記第２蓄電装置の劣化状態を検出する劣化状態検出部と、
当該蓄電池システムに要求される放電電力量あるいは充電電力量である需要電力量を検出する需要電力量検出部と、
前記第１蓄電装置及び前記第２蓄電装置の劣化状態並びに前記需要電力量に基づいて、前記第１蓄電装置及び前記第２蓄電装置に対する電力量配分を設定する配分設定部と、
を備えた蓄電制御装置。
【請求項２】
前記劣化状態検出部は、前記第１蓄電装置及び前記第２蓄電装置の蓄積可能エネルギー量、内部抵抗値、充放電サイクル数、ＳＯＣ範囲毎の滞在率あるいは温度範囲毎の滞在率をパラメータとし、前記パラメータのうち少なくともいずれか一つに基づいて前記劣化状態を検出する、
請求項１記載の蓄電制御装置。
【請求項３】
前記配分設定部は、検出された前記劣化状態に基づいて、前記第１蓄電装置及び前記第２蓄電装置の寿命までの期間が同一となるように、前記電力量配分を設定する、
請求項１又は請求項２記載の蓄電制御装置。
【請求項４】
前記配分設定部は、検出された前記劣化状態に基づいて、前記第１蓄電装置あるいは前記第２蓄電装置のうち、所定の蓄電池装置が先に寿命に到るように、前記電力量配分を設定する、
請求項１乃至請求項３のいずれか一項記載の蓄電制御装置。
【請求項５】
第１蓄電装置を有する大容量蓄電池システムと、
前記大容量蓄電池システムと比較して、容量は小さく、かつ、単位時間当たりの充放電能力が高い第２蓄電装置を有する高出力蓄電池システムと、
前記大容量蓄電池システム及び前記高出力蓄電池システムの制御を行う蓄電制御装置を備え、
前記蓄電制御装置は、第１蓄電装置及び前記第２蓄電装置の劣化状態を検出する劣化状態検出部と、当該蓄電池システムに要求される放電電力量あるいは充電電力量である需要電力量を検出する需要電力量検出部と、第１蓄電装置及び第２蓄電装置の劣化状態並びに需要電力量に基づいて、第１蓄電装置及び前記第２蓄電装置に対する電力量配分を設定する配分設定部と、を備えた、
蓄電システム。
【請求項６】
第１蓄電装置を有する大容量蓄電池システム及び第２蓄電装置を有する高出力蓄電池システムを組合せた蓄電システムに用いられる蓄電制御装置で実行される制御方法であって、
前記第１蓄電装置及び前記第２蓄電装置の劣化状態を検出する過程と、
当該蓄電池システムに要求される放電電力量あるいは充電電力量である需要電力量を検出する過程と、
前記第１蓄電装置及び前記第２蓄電装置の劣化状態並びに前記需要電力量に基づいて、前記第１蓄電装置及び前記第２蓄電装置に対する電力量配分を設定する過程と、
を備えた制御方法。
【発明の詳細な説明】
【技術分野】
【０００１】
本発明の実施形態は、蓄電制御装置、蓄電システム及び制御方法に関する。
【背景技術】
【０００２】
従来、大容量の蓄電システムにおいて高出力電力を要求される周波数制御用途の運用に対応するため、大容量ではあるが比較的低出力の大容量蓄電池システム及び高出力ではあるが比較的低容量の高出力蓄電池システムを組合せて設置し、大容量蓄電池システム及び高出力蓄電池システムの現在の各ＳＯＣ値を取得して、周波数制御用途の運用に必要な電力を各ＳＯＣ値に応じて大容量蓄電池システムと高出力蓄電池システムに割り当てることが提案されている（例えば特許文献１参照）。
【先行技術文献】
【特許文献】
【０００３】
【特許文献１】特開２０１７−０４６４４０号公報
【発明の概要】
【発明が解決しようとする課題】
【０００４】
しかしながら、上記構成を採った場合には、大容量蓄電池システムまたは高出力蓄電池システムのうちいずれか一方のみが過剰に動作する可能性があり、過剰に動作することとなった蓄電池システムがもう一方の蓄電池システムより意図せず早く劣化する虞があった。【０００５】
本発明は、上記に鑑みてなされたものであって、大容量蓄電池システム及び高出力蓄電池システムを組合せた蓄電システムにおいて、蓄電池システムの劣化が均一になるように大容量蓄電池システム及び高出力蓄電池システムの双方の充放電電力を制御し、蓄電システム全体の長寿命化を図ることが可能な蓄電制御装置、蓄電システム及び制御方法を提供することを目的としている。
【課題を解決するための手段】
【０００６】
実施形態の蓄電制御装置は、第１蓄電装置を有する大容量蓄電池システム及び第２蓄電装置を有する高出力蓄電池システムを組合せた蓄電システムに用いられる蓄電制御装置であって、第１蓄電装置及び前記第２蓄電装置の劣化状態を検出する劣化状態検出部と、当該蓄電池システムに要求される放電電力量あるいは充電電力量である需要電力量を検出する需要電力量検出部と、第１蓄電装置及び第２蓄電装置の劣化状態並びに需要電力量に基づいて、第１蓄電装置及び前記第２蓄電装置に対する電力量配分を設定する配分設定部と、を備える。
【図面の簡単な説明】
【０００７】
【図１】図１は、第１実施形態の蓄電システムの概要構成ブロック図である。
【図２】図２は、第１実施形態の蓄電システムの処理フローチャートである。
【図３】図３は、大容量蓄電池システムの放電容量、高出力蓄電池システムの放電容量及び需要電力量の関係の説明図である。
【図４】図４は、第２実施形態の蓄電システムの概要構成ブロック図である。
【図５】図５は、第２実施形態の蓄電システムの処理フローチャートである。
【発明を実施するための形態】
【０００８】
次に好適な実施形態について図面を参照して説明する。
［１］第１実施形態
まず第１実施形態について説明する。
図１は、第１実施形態の蓄電システムの概要構成ブロック図である。
蓄電システム１０は、比較的大容量、かつ、比較的低出力の大容量蓄電池システム１１と、比較的低容量、かつ、比較的高出力の高出力蓄電池システム１２と、商用系統１３に電力を供給し(いわゆる、系統連系)、あるいは、商用系統１３からの電力を受け取るための電力線１４と、大容量蓄電池システム１１及び高出力蓄電池システム１２を連携して制御するための蓄電制御装置１５と、を備えている。
【０００９】
上記構成において、大容量蓄電池システム１１は、長時間の電力調整に必要な電力を充電または放電することが可能な大容量タイプの蓄電装置１１Ａ、電力変換装置１１Ｂ及び状態検出部１１Ｃを備えている。
【００１０】
大容量タイプの蓄電装置１１Ａとしては、各種の二次電池が主流であるが、フライホイールや熱や水素等としてエネルギーを蓄えるエネルギー貯蔵装置であっても良い。
また、電力変換装置１１Ｂは、蓄電装置１１Ａの充電又は放電を行う。
【００１１】
また、状態検出部１１Ｃは、大容量蓄電池システム１１の蓄電容量、温度、入出力電流、入出力電圧、蓄電装置１１Ａの状態（ＳＯＣ、ＳＯＨ等）を検出し、第１状態検出データＤ１１として出力する。
【００１２】
また、高出力蓄電池システム１２は、短時間の電力調整に必要な電力を充電または放電することが可能な高入出力タイプの蓄電装置１２Ａ及び電力変換装置１２Ｂを備えている。
【００１３】
高入出力タイプの蓄電装置１２Ａとしては、大容量タイプの蓄電装置と同様に、各種の二次電池が主流であるが、電気二重層キャパシタやフライホイールやＳＭＥＳ等のエネルギー貯蔵装置であっても良い。
【００１４】
また、電力変換装置１２Ｂは、蓄電装置１２Ａの充電又は放電を行う。
また、状態検出部１２Ｃは、高出力蓄電池システム１２の蓄電容量、温度、入出力電流、入出力電圧、蓄電装置１２Ａの状態（ＳＯＣ、ＳＯＨ等）を検出し、第２状態検出データＤ１２として出力する。
【００１５】
さらに、大容量蓄電池システム１１の出力及び高出力蓄電池システム１２の出力が交流の場合にはその交流出力を電力線１４で接続し、また直接電力線１４を商用系統１３と接続することとなる。
【００１６】
蓄電制御装置１５は、大容量蓄電池システム１１に対応する電圧情報や温度情報等の制御用情報並びに電池容量や内部抵抗値等の劣化状態情報をデータベースとして記憶し、第１劣化状態データＤ２１として出力可能な第１劣化状態記憶部２１と、高出力蓄電池システム１２に対応する電圧情報や温度情報、また電池容量や内部抵抗等から得られる劣化状態をデータベースとして記憶し、第２劣化状態データＤ２２として出力可能な第２劣化状態記憶部２２と、大容量蓄電池システム１１の実際の状態情報、高出力蓄電池システム１２の実際の状態情報、第１劣化状態記憶部２１及び第２劣化状態記憶部２２に記憶されている制御用情報及び劣化状態情報に基づいて、第１制御信号ＳＣ１及び第２制御信号ＳＣ２を生成して出力し、大容量蓄電池システム１１及び高出力蓄電池システム１２の連系制御を行う充放電制御部２３と、を備えている。
【００１７】
以上の説明では、蓄電制御装置１５は、大容量蓄電池システム１１及び高出力蓄電池システム１２の双方を制御する構成を採っていたが、これに代えて、高出力蓄電池システム１２からの情報に基づいて大容量蓄電池システム１１を制御する第１充電制御装置及び大容量蓄電池システム１１からの情報に基づいて高出力蓄電池システム１２を制御する第２充電制御装置を設け、第１充電制御装置と第２充電制御装置とを物理的に離れた場所に設置することも可能である。
【００１８】
次に蓄電システム１０の動作について説明する。
図２は、第１実施形態の蓄電システムの処理フローチャートである。
まず、蓄電システム１０においては、状態検出処理が行われる（ステップＳ１１）。
状態検出処理において、状態検出部１１Ｃは、大容量蓄電池システム１１の蓄電容量、温度、入出力電流、入出力電圧、蓄電装置１１Ａの状態（ＳＯＣ、ＳＯＨ等）を検出し、第１状態検出データＤ１１として充放電制御部２３に出力する。
【００１９】
同様に状態検出部１２Ｃは、高出力蓄電池システム１２の蓄電容量、温度、入出力電流、入出力電圧、蓄電装置１２Ａの状態（ＳＯＣ、ＳＯＨ等）を検出し、第２状態検出データＤ１２として充放電制御部２３に出力する。
【００２０】
これらの結果、充放電制御部２３は、商用系統１３との系統連系の状態、あるいは、商用系統１３からの電力供給に伴う大容量蓄電池システム１１あるいは高出力蓄電池システム１２の充電状態を検出する。
【００２１】
そして、充放電制御部２３は、劣化状態検出部として機能し、所定のタイミング毎に第１状態検出データＤ１１及び第２状態検出データＤ１２の履歴に基づいて、大容量蓄電池システム１１に対応する第１劣化状態記憶部２１に記憶する第１劣化状態データＤ２１及び高出力蓄電池システム１２に対応する第２劣化状態記憶部２２に記憶する第２劣化状態データＤ２２を更新する。すなわち、所定のタイミング毎に第１劣化状態記憶部２１及び第２劣化状態記憶部２２は、最新の状態に更新されることとなる。
【００２２】
ここで、劣化状態の検出について説明する。
劣化状態の検出（算出）のパラメータとしては、蓄電装置１１Ａあるいは蓄電装置１２Ａの蓄積可能エネルギー量、内部抵抗値、充放電サイクル、ＳＯＣ範囲毎の滞在率、温度範囲毎の滞在率等が挙げられる。
【００２３】
上記パラメータについて詳細に説明する。
まず蓄積可能エネルギーをパラメータとして劣化状態を算出する場合、例えば、蓄電装置１１Ａ、１２Ａが二次電池で構成される場合には、蓄積可能エネルギーの単位は、ＷｈあるいはＡｈで表される。また蓄電装置１１Ａ、１２Ａがフライホイールで構成される場合には、蓄積可能エネルギーの単位は、回転数で表される。また水素電力貯蔵装置で構成する場合には、蓄積可能エネルギーの単位は圧力で表される。
【００２４】
一般的に蓄積可能エネルギー量は、蓄電システムの劣化に伴い、初期特性から減少する傾向を有しており、蓄積可能エネルギー量が所定量まで減少した場合には、当該蓄電装置は寿命に達したと判断される。
【００２５】
そこで、充放電制御部２３は、配分設定部として機能し、蓄電装置１１Ａあるいは蓄電装置１２Ａの蓄積可能エネルギー量を個別に監視し、想定される寿命までの期間が同様となるように、蓄電装置１１Ａ及び蓄電装置１２Ａの充放電電力量を調整（負担を均等でなく、それぞれの寿命までの期間が同様になるように負担率を変更する）するように制御する。
【００２６】
次に内部抵抗値をパラメータとして劣化状態を算出する場合、一般的に内部抵抗値は、蓄電システムの劣化に伴い、初期特性から増加する傾向を有しており、内部抵抗値が所定値まで増加した場合には、当該蓄電装置は寿命に達したと判断される。
【００２７】
そこで、蓄電装置１１Ａあるいは蓄電装置１２Ａの内部抵抗値を個別に監視し、想定される寿命までの期間が同様となるように、蓄電装置１１Ａ及び蓄電装置１２Ａの充放電電力量を調整（負担を均等でなく、それぞれの寿命までの期間が同様になるように負担率を変更する）するように制御する。
【００２８】
次に充放電サイクルをパラメータとして劣化状態を検出する場合、一般的に充放電サイクルが増加するほど蓄電システムの劣化が進む傾向を有しており、充放電サイクル数が所定数まで達した場合には、当該蓄電装置は寿命に達したと判断される。
【００２９】
そこで、充放電制御部２３は、配分設定部として機能し、蓄電装置１１Ａあるいは蓄電装置１２Ａの充放電サイクル数を個別に監視し、想定される寿命までの期間が同様となるように、蓄電装置１１Ａ及び蓄電装置１２Ａの充放電サイクル数の変化を調整（負担を均等でなく、それぞれの寿命までの期間が同様になるように負担率を変更する）するように制御する。
【００３０】
次にＳＯＣ範囲毎の滞在率をパラメータとして劣化状態を算出する場合、一般的にＳＯＣ範囲（レベル）毎の滞在率によって寿命が変化することが知られている。
具体的には、たとえば、ＳＯＣが１００％のレベルに１年間フロート状態で電圧印加した二次電池と、ＳＯＣが６０％のレベルに１年間フロート状態で電圧印加した二次電池とは、１年経過後における二次電池の劣化状態は程度が異なる。
【００３１】
すなわち、ＳＯＣの範囲毎、例えば、１００〜９０％、９０〜８０％、…のように１０％毎の範囲のうち、いずれのＳＯＣの範囲に二次電池のＳＯＣがどれだけ滞在していたかによって劣化状態を推定することが可能となるのである。
より詳細には、二次電池を１年間運用する場合に、ＳＯＣが１００％付近で３ヶ月、８０％付近で３ヶ月、６０％付近で３ヶ月、４０％付近で３ヶ月のように、ＳＯＣ範囲毎の滞在率が把握できれば、二次電池の劣化状態を算出することができるのである。
【００３２】
そこで、充放電制御部２３は、配分設定部として機能し、蓄電装置１１Ａあるいは蓄電装置１２ＡのＳＯＣ毎の滞在率を個別に監視し、想定される寿命までの期間が同様となるように、蓄電装置１１Ａ及び蓄電装置１２ＡのＳＯＣ毎の滞在率を調整（負担を均等でなく、それぞれの寿命までの期間が同様になるように負担率を変更する）するように制御する。
【００３３】
次に温度範囲毎の滞在率をパラメータとして劣化状態を算出する場合、一般的に温度範囲毎の滞在率によって寿命が変化することが知られている。
具体的には、たとえば、温度が４５℃の環境で使用された二次電池と、温度が２５℃の環境で使用された二次電池とは、１年経過後における二次電池の劣化状態は程度が異なる。
【００３４】
すなわち、二次電池の使用環境の温度がいずれの温度範囲にどれだけ滞在していたかによって劣化状態を推定することが可能となるのである。
より詳細には、二次電池を１年間運用する場合に、使用環境の温度が４５℃付近で３ヶ月、２５℃付近で６ヶ月、０℃付近で３ヶ月のように、温度範囲毎の滞在率が把握できれば、二次電池の劣化状態を算出することができるのである。
【００３５】
そこで、充放電制御部２３は、配分設定部として機能し、蓄電装置１１Ａあるいは蓄電装置１２Ａの温度範囲毎の滞在率を個別に監視し、想定される寿命までの期間が同様となるように、蓄電装置１１Ａ及び蓄電装置１２Ａの温度範囲毎の滞在率を調整（負担を均等でなく、それぞれの寿命までの期間が同様になるように負担率を変更する）するように制御する。
【００３６】
以上の説明は、パラメータを個別に制御する場合のものであったが、複数のパラメータに基づいて、より高精度で劣化状態を算出し、制御するように構成することも可能である。
【００３７】
具体的には、例えば、ある充放電電力パターンで動作させると、蓄積可能エネルギー量は減少するが、内部抵抗値は増加しない場合や、蓄積可能エネルギー量は減少しないが内部抵抗値は増加する場合などのように、個別のパラメータから判断を行った場合では、劣化状態を容易に把握できない場合でもより精度の高い劣化状態検出を行うことができる。
【００３８】
再び図２の処理フローチャートに戻って動作を説明する。
そして、上述した第１劣化状態データＤ２１及び第２劣化状態データＤ２２の更新タイミングでは無い場合には、充放電制御部２３は、第１劣化状態記憶部２１から最新の第１劣化状態データＤ２１を読み出すととともに、第２劣化状態記憶部２２から最新の第２劣化状態データＤ２２を読み出す（ステップＳ１２）。
【００３９】
続いて充放電制御部２３は、第１状態検出データＤ１１及び第２劣化状態データＤ２２に基づいて、商用系統１３における需要状態（放電要求量あるいは充電要求量）を検出する（ステップＳ１３）。
【００４０】
商用系統１３における需要状態を検出した充放電制御部２３は、第１劣化状態データＤ２１及び第２劣化状態データＤ２２に基づいて、大容量蓄電池システム１１及び高出力蓄電池システム１２に対する制御において、劣化状態を考慮すべき必要があるか否かを判別する（ステップＳ１４）。
具体的には、蓄電装置１１Ａあるいは蓄電装置１２ＡのＳＯＣあるいはＳＯＨから充電容量、充電電流、放電容量あるいは放電電流を制限する必要があるか否かを判別する。
【００４１】
図３は、大容量蓄電池システムの放電容量、高出力蓄電池システムの放電容量及び需要電力量の関係の説明図である。
【００４２】
図３において、電力量を表す矩形の面積は、電力量に比例しているものとする。
ある時点における需要電力量ＰＤが、図３（ａ）に示すようなものであった場合、蓄電システム１０の初期状態における想定している大容量蓄電池システム１１の蓄電装置１１Ａの放電容量及び高出力蓄電池システム１２の蓄電装置１２Ａの放電容量の割合は、図３（ｂ）に示すようなものとなっているものとする。
【００４３】
この場合において、大容量蓄電池システム１１の蓄電装置１１Ａが劣化しており、蓄電装置１１Ａの保護を図る場合には、例えば、図３（ｃ）に示すように、ΔＰＤ１に相当する電力量を図３（ａ）の場合よりも高出力蓄電池システム１２の蓄電装置１２Ａ側に多く出力させてトータルで需要電力量ＰＤに相当する電力量を供給するようにする。
この結果、蓄電装置１１Ａの負荷が低下し、蓄電装置１１Ａの寿命を延ばすことが可能となる。
【００４４】
同様に、高出力蓄電池システム１２の蓄電装置１２Ａが劣化しており、蓄電装置１２Ａの保護を図る場合には、例えば、図３（ｄ）に示すように、ΔＰＤ２に相当する電力量を図３（ａ）の場合よりも大容量蓄電池システム１１の蓄電装置１１Ａ側に多く出力させてトータルで需要電力量ＰＤに相当する電力量を供給するようにする。
この結果、蓄電装置１２Ａの負荷が低下し、蓄電装置１２Ａの寿命を延ばすことが可能となる。
【００４５】
したがって、ステップＳ１４の判別において、劣化状態を考慮すべき必要がない場合には（ステップＳ１４；Ｎｏ）、充放電制御部２３は、図３（ｂ）に示したように、初期状態において想定している大容量蓄電池システム１１の蓄電装置１１Ａの電力容量及び高出力蓄電池システム１２の蓄電装置１２Ａの電力容量の割合に従って、放電あるいは充電を行う（ステップＳ１６）。
【００４６】
一方、ステップＳ１４の判別において、劣化状態を考慮すべき必要がある場合には（ステップＳ１４；Ｙｅｓ）、充放電制御部２３は、大容量蓄電池システム１１の蓄電装置１１Ａ及び高出力蓄電池システム１２の蓄電装置１２Ａにおいて劣化状態の考慮が可能な需要状態であるか否かを判別する（ステップＳ１５）。
【００４７】
ステップＳ１５の判別において、充放電制御部２３は、大容量蓄電池システム１１の蓄電装置１１Ａの充放電能力及び高出力蓄電池システム１２の蓄電装置１２Ａの充放電能力のうち、より負担が大きくなる側の蓄電池装置が劣化状態の考慮が可能ではない状態である場合には（ステップＳ１５；Ｎｏ）、図３（ｂ）に示した様に劣化状態を考慮せずに通常の電力供給配分制御を行う（ステップＳ１６）。
【００４８】
一方、ステップＳ１５の判別において、充放電制御部２３は、大容量蓄電池システム１１の蓄電装置１１Ａの充放電能力及び高出力蓄電池システム１２の蓄電装置１２Ａの充放電能力のうち、より負担が大きくなる側の蓄電池装置が劣化状態の考慮が可能な状態である場合には（ステップＳ１５；Ｙｅｓ）、図３（ｃ）あるいは図３（ｄ）に示した様に、劣化状態を考慮した電力供給配分制御を行う（ステップＳ１７）。
【００４９】
以上の説明のように、本第１実施形態によれば、このような制御を継続して行うことにより、大容量蓄電池システム１１の劣化及び高出力蓄電池システム１２における劣化を均等化することができ、蓄電システム１０全体の長寿命化を達成することができる。
以上の説明は、需要電力量ＰＤが一定の場合について説明したが、需要電力量ＰＤが変化する場合であっても同様に適用が可能である。
【００５０】
［２］第２実施形態
次に第２実施形態について説明する。
図４は、第２実施形態の蓄電システムの概要構成ブロック図である。
図４において、図１の第１実施形態と異なる点は、大容量蓄電池システム１１の劣化状態を算出する第１劣化状態検出部２５及び高出力蓄電池システム１２の劣化状態を算出する第２劣化状態検出部２６を備えた点である。
【００５１】
上記構成において、第１劣化状態検出部２５は、状態検出部１１Ｃが出力した第１状態検出データＤ１１に基づいて、蓄電装置１１Ａの劣化状態をリアルタイムで検出（算出）し、検出した蓄電装置１１Ａの劣化状態を第１劣化状態検出データＤ３１として充放電制御部２３に出力する。
【００５２】
同様に第２劣化状態検出部２６は、状態検出部１２Ｃが出力した第２状態検出データＤ１２に基づいて、蓄電装置１２Ａの劣化状態をリアルタイムで検出（算出）し、検出した蓄電装置１２Ａの劣化状態を第２劣化状態検出データＤ３２として充放電制御部２３に出力する。
【００５３】
この結果、充放電制御部２３は、配分設定部として機能し、大容量蓄電池システム１１の劣化及び高出力蓄電池システム１２における劣化を均等化することができ、蓄電システム１０全体の長寿命化を達成することができる。
【００５４】
次に第２実施形態の動作を説明する。
図５は、第２実施形態の蓄電システムの処理フローチャートである。
まず、蓄電システム１０においては、状態検出処理が行われ、状態検出部１１Ｃは、大容量蓄電池システム１１の蓄電容量、温度、入出力電流、入出力電圧、蓄電装置１１Ａの状態（ＳＯＣ、ＳＯＨ等）を検出し、第１状態検出データＤ１１として充放電制御部２３に出力する。同様に状態検出部１２Ｃは、高出力蓄電池システム１２の蓄電容量、温度、入出力電流、入出力電圧、蓄電装置１２Ａの状態（ＳＯＣ、ＳＯＨ等）を検出し、第２状態検出データＤ１２として充放電制御部２３に出力する（ステップＳ２１）。
【００５５】
これらの結果、充放電制御部２３は、商用系統１３との系統連系の状態、あるいは、商用系統１３からの電力供給に伴う大容量蓄電池システム１１あるいは高出力蓄電池システム１２の充電状態を検出する。
【００５６】
状態検出処理と並行して、第１劣化状態検出部２５は、状態検出部１１Ｃが出力した第１状態検出データＤ１１に基づいて、蓄電装置１１Ａの劣化状態をリアルタイムで算出し、検出した蓄電装置１１Ａの劣化状態を第１劣化状態検出データＤ３１として充放電制御部２３に出力し、第２劣化状態検出部２６は、状態検出部１２Ｃが出力した第２状態検出データＤ１２に基づいて、蓄電装置１２Ａの劣化状態をリアルタイムで算出し、算出した蓄電装置１２Ａの劣化状態を第２劣化状態検出データＤ３２として充放電制御部２３に出力する（ステップＳ２２）。
【００５７】
これらの結果、充放電制御部２３は、第１状態検出データＤ１１及び第２劣化状態データＤ２２に基づいて、商用系統１３における需要状態（放電要求量あるいは充電要求量）を検出する（ステップＳ２３）。
【００５８】
商用系統１３における需要状態を検出した充放電制御部２３は、第１劣化状態データＤ２１及び第２劣化状態データＤ２２に基づいて、大容量蓄電池システム１１及び高出力蓄電池システム１２に対する制御において、劣化状態を考慮すべき必要があるかいなかを判別する（ステップＳ２４）。
【００５９】
ステップＳ２４の判別において、劣化状態を考慮すべき必要がない場合には（ステップＳ２４；Ｎｏ）、充放電制御部２３は、図３（ｂ）に示したように、初期状態において想定している大容量蓄電池システム１１の蓄電装置１１Ａの電力容量及び高出力蓄電池システム１２の蓄電装置１２Ａの電力容量の割合に従って、放電あるいは充電を行う（ステップＳ２６）。
【００６０】
ステップＳ２４の判別において、劣化状態を考慮すべき必要がある場合には（ステップＳ２４；Ｙｅｓ）、充放電制御部２３は、大容量蓄電池システム１１の蓄電装置１１Ａ及び高出力蓄電池システム１２の蓄電装置１２Ａにおいて劣化状態の考慮が可能な需要状態であるか否かを判別する（ステップＳ２５）。
【００６１】
ステップＳ２５の判別において、充放電制御部２３は、大容量蓄電池システム１１の蓄電装置１１Ａの充放電能力及び高出力蓄電池システム１２の蓄電装置１２Ａの充放電能力のうち、より負担が大きくなる側の蓄電池装置が劣化状態の考慮が可能ではない状態である場合には（ステップＳ２５；Ｎｏ）、図３（ｂ）に示した様に劣化状態を考慮せずに通常の電力供給配分制御を行う（ステップＳ２６）。
【００６２】
一方、ステップＳ２５の判別において、充放電制御部２３は、大容量蓄電池システム１１の蓄電装置１１Ａの充放電能力及び高出力蓄電池システム１２の蓄電装置１２Ａの充放電能力のうち、より負担が大きくなる側の蓄電池装置が劣化状態の考慮が可能な状態である場合には（ステップＳ２５；Ｙｅｓ）、図３（ｃ）あるいは図３（ｄ）に示した様に、劣化状態を考慮した電力供給配分制御を行う（ステップＳ２７）。
【００６３】
以上の説明のように、本第２実施形態によれば、第１実施形態と同様の効果に加えて、蓄電装置の劣化状態をリアルタイムで反映した制御を行うことができ、より正確に大容量蓄電池システム１１の劣化及び高出力蓄電池システム１２における劣化を均等化することができ、蓄電システム１０全体の長寿命化を達成することができる。
【００６４】
以上の説明は、需要電力量ＰＤが一定の場合について説明したが、需要電力量ＰＤが順次変化する場合であっても同様に適用が可能である。
この場合には、需要電力量ＰＤに対して上述した場合と同様に比率を制御したり、大容量蓄電池システム１１あるいは高出力蓄電池システム１２のうち、劣化を招く虞がない側の許容範囲内で一方の蓄電システムが需要電力に対応する充放電電力を担うようにしたりしてもよい。
【００６５】
以上の説明のように、各実施形態によれば、蓄電システム全体の長寿命化を図ったり、大容量蓄電池システムまたは大電力蓄電池システムを意図的にどちらか一方の劣化が早くなるように充放電電力を制御することで、高額な方の電池システムの寿命を延ばしたり、検査周期に合わせた寿命管理が可能となりシステム全体の運用コストを低減したりすることができる。
【００６６】
本実施形態の蓄電制御装置は、ＣＰＵなどの制御装置と、ＲＯＭ（Ｒｅａｄ  Ｏｎｌｙ  Ｍｅｍｏｒｙ）やＲＡＭなどの記憶装置と、ＨＤＤ、ＣＤドライブ装置などの外部記憶装置と、各種情報を表示する表示装置と、各種情報を入力する入力装置を備えており、通常のコンピュータを利用したハードウェア構成となっている。
【００６７】
本実施形態の蓄電制御装置で実行されるプログラムは、インストール可能な形式又は実行可能な形式のファイルでＣＤ−ＲＯＭ、ＵＳＢメモリ等の半導体記憶装置、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００６８】
また、本実施形態の蓄電制御装置で実行されるプログラムを、インターネット等のネットワークに接続されたコンピュータ上に格納し、ネットワーク経由でダウンロードさせることにより提供するように構成しても良い。また、本実施形態の蓄電制御装置で実行されるプログラムをインターネット等のネットワーク経由で提供または配布するように構成しても良い。
また、本実施形態の蓄電制御装置のプログラムを、ＲＯＭ等に予め組み込んで提供するように構成してもよい。
【００６９】
本実施形態の蓄電制御装置で実行されるプログラムは、上述した各部（劣化状態検出部、需要電力量検出部、配分設定部）を含むモジュール構成となっており、実際のハードウェアとしてはＣＰＵ（プロセッサ）が上記記憶媒体からプログラムを読み出して実行することにより上記各部が主記憶装置上にロードされ、劣化状態検出部、需要電力量検出部及び配分設定部が主記憶装置上に生成されるようになっている。
【００７０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、請求の範囲に記載された発明とその均等の範囲に含まれる。
【図１】
2019186659.tif 000003
【図２】
2019186659.tif 000004
【図３】
2019186659.tif 000005
【図４】
2019186659.tif 000006
【図５】
2019186659.tif 000007
【国際調査報告】
2019186659.tif 000008
2019186659.tif 000009